(57)【要約】      （修正有）【課題】シート接合部とシートの傷みを解消し、マウス操作時にテーブル上でマウスパッドが滑るのを防止するマウスパッド付き携帯鏡を提供する。【解決手段】鏡面の裏面が保護部材３で覆われた鏡本体と鏡面を保護する蓋とが連結され開閉自在である携帯鏡において、蓋の外面もしくは鏡本体の保護部材面の少なくとも一方の面を静電植毛層６からなるマウスパッドとし、マウスパッド面と反対のテーブルに接する面を滑り難い部材５とする。【選択図】図５
0003153323.tif 000002
【実用新案登録請求の範囲】
【請求項１】
鏡面の裏面が保護部材で覆われた鏡本体と鏡面を保護する蓋とが連結され開閉自在である携帯鏡において、蓋の外面もしくは鏡本体の保護部材面の少なくとも一方の面を静電植毛層からなるマウスパッドとした、マウスパッド付き携帯鏡。
【請求項２】
鏡本体に蓋をした状態で静電植毛層であるマウスパッド面と反対のテーブルに接する面が滑り難い部材である、請求項１に記載のマウスパッド付き携帯鏡。
【考案の詳細な説明】
【技術分野】
【０００１】本考案は、鏡とマウスパッドが一体となったマウスパッド付き携帯鏡に関するものである。
【背景技術】
【０００２】従来、携帯鏡は鏡面の裏面がプラスチックや金属などの保護部材で覆われた鏡本体と、鏡を使用していない時は、キズや汚れが付かないように鏡面を覆う、開閉が自在である蓋が連結してある。【０００３】マウスパッドはプラスチック、木、ガラスなど各種材料の表面にマウスのローラーが回転しやすいように凹凸を付け、または、光学式マウスに対応するために表面の光の反射率を調整すべく、透明素材にあえて色をつけるなどの工夫をしている。【０００４】職場でパソコンを使うことが日常化しておりマウスパッドを使う機会も多い。一方、業務の都合で来客応対や外出することもあり、席を外して洗面所で鏡を見たり、携帯鏡を使って身だしなみを整えることがある。【０００５】マウスパッドに適する大きさの携帯鏡はあるが、マウスパッドとしての機能はない。鏡面以外の面をマウスパッドとして使用でき、しかもマウス操作時にテーブル上で滑らずに操作が出来れば便利である。
【先行技術文献】
【特許文献】
【０００６】
【特許文献１】  実登３０６４６４２
【考案の概要】
【考案が解決しようとする課題】
【０００７】従来の実登３０６４６４２のマウスパッドは、マウスパッド下部の滑り止めゴム上面に鏡を設け、その上部にマウスパッドの操作面シートを施したもので、鏡を設置した下部のマウスパッドの滑り止めゴムとマウスパッド上端のシートとを接合し、上部のシートを開閉することで鏡としても使用できるようにしたものである。鏡を使用する際にはマウスパッドとして使用するシートを開閉するので、シート接合部およびシートが傷むという問題があった。【０００８】本考案は、このような従来の製品の構成が有していた問題を解決しようとするものであり、従来の特徴であるシート接合部とシートの傷みを解消し、マウス操作時にテーブル上でマウスパッドが滑るのを防止することを目的とするものである。
【課題を解決するための手段】
【０００９】上記課題を解決するために、鏡面の裏面が保護部材で覆われた鏡本体と鏡面を保護する蓋とが連結され開閉自在である携帯鏡において、蓋の外面もしくは鏡本体の保護部材面の少なくとも一方の面を静電植毛層からなるマウスパッドとした、マウスパッド付き携帯鏡とするものである。【００１０】また、鏡本体に蓋をした状態で、静電植毛層であるマウスパッド面と反対のテーブルに接する面が滑り難い部材であるマウスパッド付き携帯鏡とするものである。
【考案の効果】
【００１１】鏡面の裏面が保護部材で覆われた鏡本体と鏡面を保護する蓋がヒンジや回転軸を支点として回転する、あるいは蓋と保護部材が、溝と凸部とで嵌め合わされ、蓋はスライドさせることにより開閉自在であるので、実登３０６４６４２に使われるシート及びシート接合部が傷むという問題が解消できる。【００１２】また、マウスパッド面と反対のテーブルに接する面が、滑り難い部材からなるため、マウス操作時にテーブル上でマウスパッドが滑らない。
【図面の簡単な説明】
【００１３】
【図１】  鏡本体と蓋がヒンジで連結されている携帯鏡の蓋の外面を静電植毛層からなるマウスパッドとしたマウスパッド付き携帯鏡の平面図
【図２】  図１の反対面を示す平面図
【図３】  図１のＡ−Ａ’断面図
【図４】  図１の蓋を開いた状態を示す平面図
【図５】  図１の携帯鏡をテーブルに置いてマウスパッド面にマウスを置いた状態を示す側面図
【図６】  図１の携帯鏡をテーブルに置いて鏡を使用する状態を示す斜視図
【図７】  図６の携帯鏡の側面図
【図８】  蓋の外面と鏡本体の保護部材面に静電植毛層を施した携帯鏡において、携帯鏡をテーブルに置いて鏡本体の保護部材面のマウスパッドにマウスを置いた状態を示す側面図
【図９】  図８の蓋を開いて鏡を使用する状態を示す側面図
【図１０】  鏡本体と蓋が回転軸で連結されている携帯鏡において、蓋の外面を静電植毛層からなるマウスパッドとしたマウスパッド付き携帯鏡の平面図
【図１１】  図１０の反対面を示す平面図
【図１２】  図１０のＢ−Ｂ’断面図
【図１３】  図１０の携帯鏡をテーブルに置いてマウスパッド面にマウスを置いた状態を示す側面図
【図１４】  図１０の蓋を開いて鏡を使用する状態を示す平面図
【図１５】  鏡本体と蓋がスライド溝と蓋のスライド用凸部とが嵌め合わされることで連結されている携帯鏡において、蓋の外面を静電植毛層からなるマウスパッドとしたマウスパッド付き携帯鏡の平面図
【図１６】  図１５の反対面を示す平面図
【図１７】  図１５をＣ方向から見た側面図
【図１８】  図１５の蓋を開いて鏡を使用する状態を示す平面図
【考案を実施するための形態】
【００１４】以下、本考案の実施の形態を説明する。
【実施例１】
【００１５】  本考案のマウスパッド付き携帯鏡の構成と使用方法を図１〜図７を用いて説明する。
（イ）図６の鏡面２ａの裏側が保護部材３で覆われた鏡本体２と鏡面２ａを保護する蓋４が連結され開閉自在である携帯鏡において、蓋外面４ａに静電植毛層６を施してマウスパッドとする。
（ロ）鏡本体２に蓋４をした状態で、マウスパッド面と反対のテーブルに接する面には部分的に４ヶ所の角に滑り難い部材５を接着する。
（ハ）図５のように、マウスＭを静電植毛層６のマウスパッド面に置いて使用する。
（ニ）鏡として使用する時は、図６のように開けた蓋４を支えとしてテーブル面Ｔにおいて使用できる。
【実施例２】
【００１６】実施例１の応用例を図８〜図９で説明する。
蓋外面４ａと鏡本体２の保護部材面３ａに滑り止め効果のある静電植毛層６および６ａを施す。静電植毛層６も静電植毛層６ａもマウスパッドとして使用でき、マウス操作時にテーブル上で滑らない。
【実施例３】
【００１７】図１０〜図１４は、蓋１４が回転軸１８を支点として開閉できる携帯鏡の構造および使用方法を示した図である。
蓋外面１４ａに静電植毛層１６を施しマウスパッドとする。鏡本体の保護部材面１３ａには、部分的に４ヶ所にゴム製の滑り難い部材１５を接着する。蓋１４を、回転軸１８を支点として開けることで、鏡として使用することができる。
【実施例４】
【００１８】図１５〜図１８は、スライド用凸部２９を設けた蓋２４と保護部材２３に設けたスライド溝２８とが嵌め合わせてあり、蓋２４をスライドして開閉できる携帯鏡である。保護部材面２３ａの全面に滑り難い部材２５であるコルク板を接着してある。【００１９】実施例１〜４の静電植毛層６、６ａ、１６、２６は蓋外面４ａ、１４ａ、２４ａもしくは保護部材面３ａ、１３ａ、２３ａに直接接着剤を介して、ポリエステル製、ポリカーボネート製、塩ビ製などの有機物繊維や、ガラス繊維、炭素繊維などの無機物繊維、あるいは金属繊維を植毛する。または、ポリエチレンフィルム、塩ビフィルム、ポリカーボネートフィルムなどの高分子フィルムに前記繊維を植毛した静電植毛層付き高分子フィルムを接合する。【００２０】滑り難い部材５、１５、２５には、ゴム製やコルク製などの滑り難い部材を使用する。
または、乾燥時に滑り難い部材となる液状の部材を塗布し乾燥して使用する。【００２１】保護部材３、１３、２３自体が滑り難い効果を有する部材でもよい。
【産業上の利用可能性】
【００２２】マウスパッド面は緩衝性があるため、ガラス製品など傷がつきやすいものの置き台として使用できる。
【符号の説明】
【００２３】１      携帯鏡
２      鏡本体
２      鏡
２ａ    鏡面
３      保護部材
３ａ    保護部材面
４      蓋
４ａ    蓋外面
５      滑り難い部材
６      静電植毛層
６ａ    静電植毛層
７      ヒンジ
１１    携帯鏡
１２    鏡本体
１２    鏡
１２ａ  鏡面
１３    保護部材
１３ａ  保護部材面
１４    蓋
１４ａ  蓋外面
１５    滑り難い部材
１６    静電植毛層
１８    回転軸
２１    携帯鏡
２２    鏡本体
２２    鏡
２２ａ  鏡面
２３    保護部材
２３ａ  保護部材面
２４    蓋
２４ａ  蓋外面
２５    滑り難い部材
２６    静電植毛層
２８    スライド溝
２９    蓋のスライド用凸部
Ｔ      テーブル面
Ｍ      マウス
ＭＣ    マウスコード
【図１】
0003153323.tif 000003
【図２】
0003153323.tif 000004
【図３】
0003153323.tif 000005
【図４】
0003153323.tif 000006
【図５】
0003153323.tif 000007
【図６】
0003153323.tif 000008
【図７】
0003153323.tif 000009
【図８】
0003153323.tif 000010
【図９】
0003153323.tif 000011
【図１０】
0003153323.tif 000012
【図１１】
0003153323.tif 000013
【図１２】
0003153323.tif 000014
【図１３】
0003153323.tif 000015
【図１４】
0003153323.tif 000016
【図１５】
0003153323.tif 000017
【図１６】
0003153323.tif 000018
【図１７】
0003153323.tif 000019
【図１８】
0003153323.tif 000020